(57)【要約】      （修正有）【課題】地震発生等において大画面を有したプラズマテレビや液晶テレビ等の薄型テレビの前後両方向の揺れに対して確実に転倒防止を図ることができる、薄型テレビ用転倒防止具を提供する。【解決手段】薄型テレビの背面にある壁掛け金具取付けネジ部に、ワイヤを着脱自在に保持することができるワイヤ保持装置１９を固定した金具１７をボルト２５にて固定すると共に、当該薄型テレビの後面の壁２６又は薄型テレビを載せたテレビ台に、前記ワイヤの終端部を保持すると共に当該ワイヤを挿通した伸縮自在なワイヤ支持ポール６を回動自在に固定する。前記ワイヤ支持ポールの先端部を前記ワイヤ保持装置の先端部に押し当てて張架することにより、当該薄型テレビの前後両方向の揺れに対する転倒防止を図る構造とする。【選択図】図１
0003146674.tif 000002
【実用新案登録請求の範囲】
【請求項１】
薄型テレビの背面にある壁掛け金具取付けネジ部に、ワイヤを着脱自在に保持することができるワイヤ保持装置を固定した金具をボルトにて固定すると共に、当該薄型テレビの後面の壁又は薄型テレビを載せたテレビ台に、前記ワイヤの終端部を保持すると共に当該ワイヤを挿通した伸縮自在なワイヤ支持ポールを回動自在に固定し、前記ワイヤ支持ポールの先端部を前記ワイヤ保持装置の先端部に押し当てて張架することにより、当該薄型テレビの前後両方向の揺れに対する転倒防止を図ることを特徴とする、薄型テレビ用転倒防止具。
【考案の詳細な説明】
【技術分野】
【０００１】  本考案は、地震発生時等において大画面を有したプラズマテレビや液晶テレビ等の薄型テレビの転倒を防止するための、薄型テレビ用転倒防止具に関するものである。
【背景技術】
【０００２】  近年におけるテレビの形状は、テレビ放送のデジタル化やハイビジョン化に伴う高画質高細精化により、ブラウン管テレビから大画面を有したプラズマテレビや液晶テレビ等の薄型テレビに移行しつつある。該薄型テレビの設置方法として、一般家庭では専用取付け台に取付けて畳やフローリング等の上に置いたり、専用スタンドに取付けてローボード等の上に載せている。【０００３】  上記薄型テレビの底面積は、従来のブラウン管テレビの底面積に比べ非常に狭く、専用取付け台や専用スタンドに取付けても重心が高くなるため、転倒し易いという問題点があった。また、地震発生時等における薄型テレビの転倒方向として、視聴者側すなわち前方に転倒することが危惧されるため、非常に危険であるという問題点もあった。このため、地震発生時等において薄型テレビがテレビ台より転倒するのを防止するための転倒防止具として、本願出願人による実用新案登録第３１２０４２８号公報において、薄型テレビの背面にある壁掛け金具取付けネジ部にアイボルトを螺着すると共に、該薄型テレビの後面の壁又は薄型テレビを載せたテレビ台に固定金具を固定し、前記アイボルトと固定金具とを先端側にフックを備えたワイヤにて張架することにより転倒防止を図る転倒防止具を提案した。また、実用新案登録第３１２４５７４号公報において、薄型テレビの背面にある壁掛け金具取付けネジ部にワイヤ保持装置を固定又は保持するための金具をボルトにて固定すると共に、該薄型テレビの後面の壁又は薄型テレビを載せたテレビ台に前記ワイヤの一端部を保持するための固定金具を固定し、前記ワイヤの他端部をワイヤ保持装置に挿着して張架することにより転倒防止を図る転倒防止具を提案した。さらに、実用新案登録第３１３１３７４号公報において、薄型テレビの背面にある壁掛け金具取付けネジ部にワイヤの一端部を保持するための固定金具をボルトにて固定すると共に、該薄型テレビの後面の壁又は薄型テレビを載せたテレビ台にレールを設置し当該レールに固定したワイヤー保持装置に前記ワイヤの他端部を挿着して張架することにより転倒防止を図る転倒防止具を提案した。【０００４】
【特許文献１】実用新案登録第３１２０４２８号
【特許文献２】実用新案登録第３１２４５７４号
【特許文献２】実用新案登録第３１３１３７４号
【考案の開示】
【考案が解決しようとする課題】
【０００５】  しかしながら、上記何れの公報に記載の転倒防止具において、転倒方向として、視聴者側すなわち前方に転倒することの防止を目的としており、後方に転倒することの防止は考慮していなかった。地震発生時等において薄型テレビの前後方向に揺れが発生した場合、転倒防止を考慮していない後方側の揺れは増強されて前方側に掛かるため、前方側のみの転倒防止だけでは十分とは言えず、確実な転倒防止を図るためには薄型テレビの前後両方向の揺れに対する転倒防止が要求されていた。【０００６】  本考案は、上記要求を満たすために成されたものであり、地震発生等において大画面を有したプラズマテレビや液晶テレビ等の薄型テレビの前後両方向の揺れに対して確実に転倒防止を図ることができる、薄型テレビ用転倒防止具を提供することを目的とする。
【課題を解決するための手段】
【０００７】  上記課題を解決するため、本考案の薄型テレビ用転倒防止具においては、薄型テレビの背面にある壁掛け金具取付けネジ部に、ワイヤを着脱自在に保持することができるワイヤ保持装置を固定した金具をボルトにて固定すると共に、当該薄型テレビの後面の壁又は薄型テレビを載せたテレビ台に、前記ワイヤの終端部を保持すると共に当該ワイヤを挿通した伸縮自在なワイヤ支持ポールを回動自在に固定し、前記ワイヤ支持ポールの先端部を前記ワイヤ保持装置の先端部に押し当てて張架することにより、当該薄型テレビの前後両方向の揺れに対する転倒防止を図る構造とする。
【考案の効果】
【０００８】  本考案の薄型テレビ用転倒防止具を用いて大画面を有したプラズマテレビや液晶テレビ等の薄型テレビの転倒防止を図るようにすれば、ワイヤ全体をワイヤ支持ポール内に収納して張架するためにワイヤが撓むこともなく、前方側への転倒防止は勿論のこと前記ワイヤ支持ポールにより後方側への転倒防止も図ることができる。したがって、地震発生等において大画面を有したプラズマテレビや液晶テレビ等の薄型テレビの前後両方向の揺れに対して確実に転倒防止を図ることができるという絶大なる効果を奏する。
【考案を実施するための最良の形態】
【０００９】  本考案を実施するための最良の形態を図を用いて説明する。【００１０】  図１は本考案の薄型テレビ用転倒防止具の一実施例の構成図であり、薄型テレビの背面にある壁掛け金具取付けネジ部（図示せず）に、ワイヤ１８を着脱自在に保持することができるワイヤ保持装置１９を当該ワイヤ保持装置１９のネジ部２０をナット２１にて固定した金具１７をボルト２５にて固定する。また、当該薄型テレビの後面の壁２６又は薄型テレビを載せたテレビ台に、前記ワイヤ１８の終端部を保持すると共に当該ワイヤ１８を挿通した伸縮自在なワイヤ支持ポール６を回動自在に固定し、前記ワイヤ支持ポール６の先端部にある先端ブッシュ１２を前記ワイヤ保持装置１９の先端部にあるリリースナット２２に押し当てて張架する。【００１１】  図２は本考案の薄型テレビ用転倒防止具で用いる固定金具の外形図であり、（ａ）は１枚の金具で１本のワイヤ支持ポール６を支持固定するタイプの正面図、（ｂ）は１枚の金具で２本のワイヤ支持ポール６を支持固定するタイプの正面図、（ｃ）は両タイプの側面図である。該固定金具１の中央部には１乃至２個の保持穴２が穿孔され、後述のポール受金具を裏面より挿着し、図１に示すように薄型テレビの後面の壁２６又は当該薄型テレビを載せたテレビ台にゲル状粘着マット４を挟着して固定する。また、該固定金具１の四隅にはネジ穴３が穿孔され、前記ゲル状粘着マット４による固定に十分な強度が得られない場合には、木ネジ５にて補強する。【００１２】  また、図３は本考案の薄型テレビ用転倒防止具で用いるワイヤ保持装置及び金具の外形図であり、（ａ）は金具１７にワイヤ保持装置１９を挿着し、ネジ部２０，２０にナット２１，２１を螺着して固定した状態の平面図，（ｂ）はその側面図，（ｃ）はその正面図，（ｄ）はその背面図である。該図に示すワイヤ保持装置１９は、例えば（株）アルティマ社のＵ−グリップ（商品名）であり、ワイヤ保持装置１９の正面部にはワイヤ１８を正面から背面まで貫通して挿入するための挿通穴２３が設けられ、内部のラッチ機構によりワイヤ１８を挿入して引っ張っても抜けない構造となっている。該ワイヤ１８を外す場合は、（ａ）に示すようにリリースナット２２を回転させてラッチ機構を緩めることにより引き抜くことができる。【００１３】  また、Ｕ字形状を成した金具１７において、ワイヤ保持装置１９を固定した反対面には、薄型テレビの背面にある壁掛け金具取付けネジ部に当該金具１７をボルト２５にて固定するための穴２４が穿孔される。該穴２４は、前記薄型テレビの背面にある壁掛け金具取付けネジ部の大きさに応じて、Ｍ４，Ｍ５の場合には小さめの穴２４ａを使い、Ｍ６，Ｍ８の場合には大きめの穴２４ｂを使うように選択でき、僅かに重なり合って穿孔される。【００１４】  次に、図４は本考案の薄型テレビ用転倒防止具で用いるワイヤ支持ポールの外形図であり、（ａ）は正面図、（ｂ）は側面図である。該図に示すようにワイヤ支持ポール６は、後端部にポール支持金具１０を螺着した連結金具９と、該連結金具９に接続した固定ポール７と、該固定ポール７内を自在に伸縮する伸縮ポール８を具備し、前記固定ポール７の先端に中間ブッシュ１１を嵌合し、さらに前記伸縮ポール８の先端に先端ブッシュ１２を嵌合して構成する。前記伸縮ポール８は、固定ポール７内の螺旋機構（図示せず）により、回転させながら長さ調整を行うことができる。前記螺旋機構にはスプリングを用いているため、設定した長さに対して僅かに伸縮する弾性力を有しており、薄型テレビの後方側の揺れに対して衝撃力を吸収することができるため、揺れを抑える効果が得られる。【００１５】  また、前記先端ブッシュ１２の中心部に穴（図示せず）を穿孔してワイヤ１８を挿通し、前記連結金具９内にて当該ワイヤ１８の終端部を保持する。また、前記連結金具９の先端部には溝１５が削成され、該溝１５内に配設された保持軸１６をポール受金具１３に接続することにより、ワイヤ支持ポール６を回動自在に固定金具１に固定することができる。
【実施例】
【００１６】  図５は本考案の薄型テレビ用転倒防止具の一実施例における壁への固定方法を示した側面図であり、薄型テレビ２７を壁２６に固定する方法を示している。【００１７】  まず、薄型テレビ２７の背面にある壁掛け金具取付けネジ部（図示せず）に、ワイヤ保持装置１９を固定した金具１７をボルト２５にて固定する。次に、ポール受金具１３を挿着した固定金具１を、該固定金具１の裏面と壁２６との間にゲル状粘着マット４を挟着して当該壁２６に固定する。なお、前記固定金具１の固定位置は、前記金具１７より上部側にするのが好ましい。次に、ワイヤ支持ポール６のポール支持金具１０を上述の保持軸１６にてポール受金具１３に接続し、さらに前記ワイヤ支持ポール６に挿通されたワイヤ１８の先端部をワイヤ保持装置１９の挿通穴２３に挿入する。次に、ワイヤ支持ポール６の伸縮ポール８を回転させながら伸縮ポール８の先端にある先端ブッシュ１２をワイヤ保持装置１９の先端にあるリリースナット２２と当接するように長さ調節を行いながらワイヤ１８を貼架する。余ったワイヤ１８は、当該薄型テレビ２７の電気部分に触れないように適度に切断するのが好ましい。以上により、薄型テレビ２７を壁２６と固定することができるとともに、ワイヤ１８がワイヤ支持ポール６により支持されて撓むこともなくなるため、当該薄型テレビの前後両方向の揺れに対する転倒防止を図ることができる。【００１８】  また、図６は本考案の薄型テレビ用転倒防止具の一実施例におけるテレビ台への固定方法を示した側面図であり、薄型テレビ２７をテレビ台２９に固定する方法を示している。【００１９】  まず、薄型テレビ２７の背面にある壁掛け金具取付けネジ部（図示せず）に、ワイヤ保持装置１９を固定した金具１７をボルト２５にて固定する。次に、ポール受金具１３を挿着した固定金具１を、該固定金具１の裏面とテレビ台２９との間にゲル状粘着マット４を挟着して当該テレビ台２９に固定する。なお、前記固定金具１の固定位置は、できるだけ後部側にするのが好ましい。次に、ワイヤ支持ポール６のポール支持金具１０を上述の保持軸１６にてポール受金具１３に接続し、さらに前記ワイヤ支持ポール６に挿通されたワイヤ１８の先端部をワイヤ保持装置１９の挿通穴２３に挿入する。次に、ワイヤ支持ポール６の伸縮ポール８を回転させながら伸縮ポール８の先端にある先端ブッシュ１２をワイヤ保持装置１９の先端にあるリリースナット２２と当接するように長さ調節を行いながらワイヤ１８を貼架する。余ったワイヤ１８は、当該薄型テレビ２７の電気部分に触れないように適度に切断するのが好ましい。以上により、薄型テレビ２７をテレビ台２９と固定することができるとともに、ワイヤ１８がワイヤ支持ポール６により支持されて撓むこともなくなるため、当該薄型テレビの前後両方向の揺れに対する転倒防止を図ることができる。【００２０】  なお、上記何れの固定方法においても、テレビ台２９と専用取付け台２８の底面部との間に粘着力の大きなゲル状粘着マット３０を敷設することにより当該薄型テレビ２７の底部が前後方向に滑ることによる転倒も確実に防止することができる。【００２１】  また、図７は本考案の薄型テレビ用転倒防止具の一実施例におけるテレビ台への使用形態を示した図であり、（ａ）は薄型テレビ２７の背面にある左右２箇所の壁掛け金具取付けネジ部（図示せず）に固定した金具１７のワイヤ保持装置１９と、テレビ台２９の背面部に固定した２個の固定金具１，１とをワイヤ１８及びワイヤ支持ポール６にて平行に貼架した状態を示している。また、（ｂ）は薄型テレビ２７の背面にある左右２箇所の壁掛け金具取付けネジ部（図示せず）に固定した金具１７のワイヤ保持装置１９と、テレビ台２９の背面部中央に固定した１個の固定金具１とをワイヤ１８及びワイヤ支持ポール６にてＶ字状に貼架した状態を示している。前記ワイヤ１８及びワイヤ支持ポール６の平行貼架又はＶ字状貼架は、壁２６への固定にも選択できる。転倒防止の確実性は平行貼架が優れているが、薄型テレビ２７の大きさや設置環境により何れの方法であっても構わない。
【図面の簡単な説明】
【００２２】
【図１】本考案の薄型テレビ用転倒防止具の一実施例の構成図である。
【図２】本考案の薄型テレビ用転倒防止具で用いる固定金具の外形図である。
【図３】本考案の薄型テレビ用転倒防止具で用いるワイヤ保持装置及び金具の外形図である。
【図４】本考案の薄型テレビ用転倒防止具で用いるワイヤ支持ポールの外形図である。
【図５】本考案の薄型テレビ用転倒防止具の一実施例における壁への固定方法を示した側面図である。
【図６】本考案の薄型テレビ用転倒防止具の一実施例におけるテレビ台への固定方法を示した側面図である。
【図７】本考案の薄型テレビ用転倒防止具の一実施例におけるテレビ台への使用形態を示した図である。
【符号の説明】
【００２３】  １  固定金具
２  保持穴
３  ネジ穴
４  ゲル状粘着マット
５  木ネジ
６  ワイヤ支持ポール
７  固定ポール
８  伸縮ポール
９  連結金具
１０  ポール支持金具
１１  中間ブッシュ
１２  先端ブッシュ
１３  ポール受金具
１４  ネジ
１５  溝
１６  保持軸
１７  金具
１８  ワイヤ
１９  ワイヤ保持装置
２０  ネジ部
２１  ナット
２２  リリースナット
２３  挿通穴
２４  穴
２５  ボルト
２６  壁
２７  薄型テレビ
２８  専用取付け台
２９  テレビ台
３０  ゲル状粘着マット
【図１】
0003146674.tif 000003
【図２】
0003146674.tif 000004
【図３】
0003146674.tif 000005
【図４】
0003146674.tif 000006
【図５】
0003146674.tif 000007
【図６】
0003146674.tif 000008
【図７】
0003146674.tif 000009